(57)【要約】【課題】この発明は、浴室で使用する水を総て浄化（活性化）することを目的としたものである。【解決手段】この発明は、水及び湯を混合して給水できる浴室用水栓において、シャワー用給水口に連結ホースの一端を接続し、該連結ホースの他端を浄水器の給水口に接続し、前記浄水器に固定したバルブ付吐水筒の吐水側に、浴槽用の給水ホースの基端と、シャワーホースの基端とを連結したことを特徴とする浴室用浄水装置により目的を達成した。【選択図】　　　図１
2004143661.tif 000002
【特許請求の範囲】
【請求項１】
水及び湯を混合して給水できる浴室用水栓において、シャワー用給水口に連結ホースの一端を接続し、該連結ホースの他端を浄水器の給水口に接続し、前記浄水器に固定したバルブ付吐水筒の吐出側に、浴槽用の給水ホースの基端と、シャワーホースの基端とを連結したことを特徴とする浴室用浄水装置。
【請求項２】
浄水器は、筒状容器内へ、濾過用活性炭と、浄水用セラミックスボールを充填すると共に、前記筒状容器の口部蓋に給水口と、バルブ付吐水筒を連結したことを特徴とする請求項１記載の浴室用浄水装置。
【請求項３】
浄水器と、浄水器に連結する連結ホースと、浄水器の口部蓋に取り付けるバルブ付吐水筒と、該バルブ付吐水筒に接続する浴槽用の給水ホースと、シャワーホースとを組み合わせたことを特徴とする浄水セット。
【請求項４】
浴槽への給水ホースの先端部には、吐出口付の吐出筒と、これを浴槽に固定する吸盤とを具備させたことを特徴とする請求項３記載の浄水セット。
【発明の詳細な説明】
【０００１】
【発明の属する技術分野】
この発明は、温水を使用する風呂などにおいて、全水を浄化（活水化）できるようにすることにより、入浴効果を一層向上させることを目的とした浴室用浄水装置及び浄水セットに関する。
【０００２】
【従来の技術】
従来、浄水については、水栓付近に各種浄水器を介装する部分浄水と、送水管の基管に浄水器を介装する全使用水の浄水が知られている。
【０００３】
【特許文献】
特開２００２−１１４７９号公報
【０００４】
【発明により解決しようとする課題】
前記水栓付近に介装される浄水器は、浄水能力も低く、一般には飲食関連に供する水のみを目的とする浄水であって、品質良好な浄水器は飲食用水の浄水目的を達成している。
【０００５】
また、水道の送水管に介装する浄水器は、全家屋（又は全ビル）浄水であるから、設置工事が必要となるのみならず、高価になるのが普通であった。
【０００６】
従来、全家屋浄水以外は、浴室で使用する膨大な量の浄水を手軽に達成するのは困難とされ、低廉な水栓付近設置と大差のない効力のある浄水器は未だ提案されていない。
【０００７】
【課題を解決するための手段】
然るにこの発明は、浴室の水栓へホースを接続するのみで、浴室内の使用水を全部浄水することができるようにして、設置工事の必要なく、低廉、確実な浄水を達成し、前記従来の問題点を解決したのである。
【０００８】
特に、浄水材として、活性炭と、セラミックスボールその他水を活性化する材料を充填することにより、水の洗浄能力の向上、その他の良質の水をふんだんに使用することを可能とし、しかも温水の浄化もできるので、入浴効果を一層向上させることができる。
【０００９】
即ち、この発明は、水及び湯を混合して給水できる浴室用水栓において、シャワー用給水口に連結ホースの一端を接続し、該連結ホースの他端を浄水器の給水口に接続し、前記浄水器に固定した切替バルブ付吐水筒の吐水側に、浴槽用の給水ホースの基端と、シャワーホースの基端とを連結したことを特徴とする浴室用浄水装置であり、浄水器は、筒状容器内へ、濾過用活性炭と、浄水用セラミックスボールを充填すると共に、前記筒状容器の口部蓋に給水口と、切替バルブ付吐水筒を連結したものである。
【００１０】
また、他の発明は、浄水器と、浄水器に連結する連結ホースと、浄水器の口部蓋に取り付ける切替バルブ付吐水筒と、該バルブ付吐水筒に接続する浴槽用の給水ホースと、シャワーホースとを組み合わせたことを特徴とする浄水セットであり、浴槽への給水ホースの先端部には、吐出口付の吐出筒と、これを浴槽に固定する吸盤とを具備させたものである。
【００１１】
この発明は、従来使用されているシャワー用給水口を使用し、連結ホースを用いて浄水器の給水口と連結するのみであるから、工事を必要とせず、使用者が容易に連結することができる。
【００１２】
前記発明においては、浄水器からの出口へ切替バルブ付き吐水筒を固定し、切替バルブ付吐水筒へシャワーホースの一端と給水ホースの一端を夫々連結し、切替バルブにより給水切替を行うことができるようになっている。
【００１３】
この発明に使用する浄水器は、塩素その他有害気体、液体の除去、有機物の吸着除去のみならず、セラミックスボールによる水の活性化ができることが必須要件である。
【００１４】
この発明によれば、浴槽に入れる水は勿論、シャワー水も浄化・活性化できるので、活性水による全身浴が可能であり、身体各部に刺激を与えることができる。
【００１５】
この発明の活性炭によれば、人体に有害な残留塩素、酸化化合物などの吸着除去、塩素臭の除去などの効果がある。
【００１６】
またこの発明のセラミックスボールを装填することにより、界面活性力の増大、水の溶解力・浸透力の増加（洗浄力向上）、遠赤外線効果による水分子（クラスター）の細分化、保温効果と湯冷めの防止、毛髪のキューティクル効果（リンス効果）などがある。
【００１７】
【発明の実施の形態】
この発明は、浴室で使用する水（温水含む）を全部浄水（活水）することができる。そのために、水栓のシャワー用給水口に連結ホースの一端を連結し、前記連結ホースの他端を浄水器の給水口に連結した。
【００１８】
前記浄水器の吐出口には、バルブ付吐水筒を連結し、該バルブ付吐水筒に、シャワーホースと、風呂槽用給水ホースの基端を連結する。
【００１９】
また、浄水器の口部蓋に、連結ホースの一端と、バルブ付吐水筒を連結し、該バルブ付吐水筒にシャワーホース及び浴槽用給水ホースの基端を連結して浄水セットとしたものである。前記浄水器には、活性炭とセラミックスボールが装填されている。従って、使用者は、前記浄水セットを求めて、その連結ホースを、浴室の水栓に設けてあるシャワー給水口に連結すれば、爾後通常の用法により使用することができる。
【００２０】
【実施例１】
この発明の実施例を図１に基づいて説明する。浴室の水栓１のシャワー給水口２へ、連結ホース３の一端を連結し、該連結ホース３の他端を浄水器４の口部蓋５に固定した給水口６に連結する。
【００２１】
前記浄水器４内には、中央部にセラミックスボール７を充填した活水筒８が設置され、該活水筒８の下部側壁に通水孔９が設けられ、前記活水筒８の外端部は口部蓋５を貫通すると共に、その突出部へバルブ付吐水筒１０を連結する。該バルブ付吐水筒１０には、バルブ１１が設置されると共に、シャワーホース１２の基端部と、風呂槽１３への給水ホース１４の基端部が連結され、前記バルブ１１の切替えにより、風呂槽１３又はシャワーヘッドへ給水することができる。前記給水ホース１４の先端部には、吐水筒１５と、その固定用の吸盤１６が取り付けてある。従って、吸盤１６により給水ホース１４の先端部の吐水筒１５を、風呂槽１３の任意の場所（側壁）へ固定することができる。図中２６は給水パイプ、２７は給湯パイプ、２８は蛇口である。
【００２２】
前記実施例において、温度レバー１６を回して給湯の湯温を調節するために、水と湯の混合率を定めると（温度設定）、当該温度の湯が、矢示１７のように連結ホース３を経て浄水器４に入り、矢示１９のように活性炭１８内を経て矢示２０のように通水孔９から活水筒８に入り、矢示２１のようにセラミックスボール７内を流動して活性化され、矢示２２のように給水ホース１４を経て吐水筒１５から矢示２３のように風呂槽１３内へ注水されるか、又は矢示２４のようにシャワーホース１２を経て先端噴霧嘴２５から噴霧される。
【００２３】
前記実施例において、シャワーホース１２と給水ホース１４への配湯振り分けは、バルブ１１で行う。
【００２４】
【実施例２】
この発明の浄水器４の浄水セット２６の実施例を図２、３について説明する。図２において、有底筒状の浄水器４の中央部に活水筒８を挿通設置し、該活水筒８内へセラミックスボール７を装填すると共に、前記活水筒８の外壁と、浄水器４の内壁との間に活性炭１８入りのカートリッジ２７を装入する。
【００２５】
前記浄水器４の口部には、口部蓋５を被冠し、該口部蓋５にバルブ付吐水筒１０を連結筒１０ａで連結し、前記バルブ付吐水筒１０の吐出口１２ａと１４ａへ、シャワーホース１２の基端と、給水ホース１４の基端を連結してある。また口部蓋５には連結ホース３を連結する給水口６が設けてある。
【００２６】
前記実施例において、１分間１０〜１５リットルの通水量に対する活性炭の量は、５００ｇ程度であり、セラミックスボール７は直径５〜１０ｍｍの球体で、充填量は４００〜５００ｇであるが、限定されるものでなく、前記効果を期待できる量とする。
【００２７】
前記実施例によれば、相当の長期間（使用程度にもよるが、１〜３年）同一性能で使用することができる。この場合に、カートリッジ２７を取り出し、内装の活性炭を再生し、再びカートリッジに入れて装入すれば同一性能で再使用することができる。また、セラミックスボール７は入れ換えて使用する。前記セラミックスの材質は目的とする用途によって異なるが、例えば、ＳｉＯ２、Ａｌ２Ｏ３、ＴｉＯ２、ＣａＯ、ＭｇＯ、Ｎａ２Ｏ、Ｋ２Ｏなどの成分を含むものを用いる。
【００２８】
前記実施例において、湯を図２中矢示１７のように送ると、浄水器４内へ入り、活性炭中を矢示１９のように通過して通水孔９から活水筒８内へ入り、セラミックスボール７の間を矢示２１のように通過し、バルブ付吐水筒１０を経て矢示２２のように風呂槽１３へ、又は矢示２４のようにシャワーホース１４を経て噴霧嘴２５へ送られる。
【００２９】
この発明の浄水セット２６を求めれば、水栓１のシャワー給水口２へ連結ホース３を連結するのみで、他に工事を必要としないので、極めて便利であり、接続に失敗するおそれもない。
【００３０】
前記のようにすれば、適温に調節した湯が、浄水器４に送られ、まず活性炭で有害物を吸着除去し、ついでセラミックスボール７によって活性化して風呂槽１３へ入り、又はシャワー湯として使用される。
【００３１】
入湯又はシャワー浴は、肌へ湯が最も大量に接触する機会であるから、毎日の積み重ねで湯の影響は大変大きいことが知られている。然し、ビル等では勿論、家庭で使用される水は多目的に使用されるので、全量浄化及び活性化する必要はなく、その目的に応じ、浄化等を行うことが合理的である。そこでこの発明は、入浴などを目標にして最良の浄化湯を得ることができるようにしたのである。
【００３２】
次に図３の実施例は、前記図２の実施例において、カートリッジ２８内の上部に活性炭１８を装填し、下部にセラミックスボール７を装填したものである。従って、浄水経過、浄水の使用方法は総て図２の実施例と同一に付き、図２と同一物品には同一符号を付した。
【００３３】
図３の実施例において、湯を矢示１７のように送ると、浄水器４内へ入り、活性炭１８中を矢示１９のように通過し、有害物を吸着除去された後、セラミックスボール７中を矢示２０のように通過し、通水孔９を経て通水筒２９を矢示２１のように上昇して、バルブ付吐水筒１０のバルブ１１により振り分けられ、矢示２２のように風呂槽１３へ供給され、又は矢示２４のように、シャワーホース１２を経て噴霧嘴２５から噴霧される。
【００３４】
前記図３の実施例と、図２の実施例とは、カートリッジ２７又は２８の形状構造が異なるが、活性炭処理とセラミックスボール処理を連続して行うことは同一であり、作用効果も同一である。
【００３５】
この発明によれば、セラミックスボールによる処理が使用直前に行われるために、効力の最大の時に使用される利点があり、かつ使用する湯（水）のみを処理するので、きわめて合理的である。
【００３６】
【発明の効果】
この発明によれば、適温に調節した給水を、浄水器に通すので、過不足なく、必要な湯量を浄化（活性化）することができる効果がある。
【００３７】
また、浴槽に入れる湯、シャワーで使用する湯を総て浄化活性化するので、身体、特に皮膚に対して抜群の効果がある。
【００３８】
この発明によれば、活性炭により、人体に有害な残留塩素、酸化物（化合物）などを吸着すると共に、塩素臭を脱臭する効果がある。
【００３９】
また、セラミックスボールによれば、界面活性力を増大し、溶解力・浸透力（洗浄力）を増加し、遠赤外線効果により水分子（クラスター）を細分化し、保温効果と湯冷め防止効果があり、更に髪のキューティクル効果（リンス効果）などの諸効果がある。
【図面の簡単な説明】
【図１】この発明の実施例の一部を省略した説明図。
【図２】同じくセットの実施例の一部を破切した説明図。
【図３】同じく他の実施例の一部を破切した説明図。
【符号の説明】
１　水栓
２　シャワー給水口
３　連結ホース
４　浄水器
５　口部蓋
６　給水口
７　セラミックスボール
８　活水筒
９　通水孔
１０　バルブ付吐水筒
１１　バルブ
１２　シャワーホース
１３　風呂槽
１４　給水ホース
１５　吐水筒
２６　浄水セット
【図１】
2004143661.tif 000003
【図２】
2004143661.tif 000004
【図３】
2004143661.tif 000005